(57)【要約】      （修正有）【課題】原子力発電所内の作業に用いている公知ＡＰＤをそのまま使用して、高騒音の環境下においても超過被爆の警報を作業者に確実に伝えることができ、又ノイズによるＡＰＤの誤動作を防止し、作業者の発汗等からＡＰＤを保護できるようにする。【解決手段】ＡＰＤ３０を収納する収納ケース２０と、収納ケースに対し電気的に接続可能な分離振動ユニット４０とからなり、ＡＰＤは収納ケースに収納して胸ポケット１０に装着し、振動ユニットは作業者の首に吊って使用する。収納ケースに設けられた光検知センサーがＡＰＤの警報ランプの光を検知し、制御回路を介して収納ケース内及び前記分離振動ユニット内に設けた振動装置を作動させる。【選択図】図１
2006170634.tif 000002
【特許請求の範囲】
【請求項１】
ポケット型外部被ばく計測器と、
前記ポケット型外部被ばく計測器を収納する収納ケースと、
前記収納ケースに対し電気的に接続可能な分離振動ユニットとからなり、
前記ポケット型外部被ばく計測器の警報ランプの光を検知し、前記収納ケースに設けた制御回路を介して電気信号に変え、前記収納ケース内及び前記分離振動ユニット内に設けた振動装置を作動させ、作業者の胸部と首部に振動を与え警報するようにしたことを特徴とするポケット型外部被ばく計測器を使用した被ばく線量超過警報装置。
【請求項２】
前記収納ケースは、前記ポケット型外部被ばく計測器から発する光を検知する光検知センサーを備え、該光検知センサーからの信号を制御回路を介し電気信号に変換し、胸部及び首部用の振動モータを作動させるようにした請求項１記載のポケット型外部被ばく計測器を使用した被ばく線量超過警報装置。
【請求項３】
前記収納ケースは、その本体内にポケット型外部被ばく計測器を後方から装着し、その装着状態の検知用リミットスイッチを有している請求項１記載のポケット型外部被ばく計測器を使用した被ばく線量超過警報装置。
【請求項４】
前記収納ケースは外側をアルミ板、内側を合成樹脂で構成した請求項１記載のポケット型外部被ばく計測器を使用した被ばく線量超過警報装置。
【請求項５】
前記収納ケースは、その底部に円盤形振動モータを備えている請求項１記載のポケット型外部被ばく計測器を使用した被ばく線量超過警報装置。
【請求項６】
前記分離振動ユニットは環状のケーブルと、該ケーブルに取付けた円筒形振動モータと、電気接続用のプラグ及び前記収納ケースに設けた取付部への取付金具よりなっている請求項１記載のポケット型外部被ばく計測器を使用した被ばく線量超過警報装置。
【発明の詳細な説明】
【技術分野】
【０００１】
この発明は原子力発電所内での作業に用いているポケット型外部被ばく計測器（以下、「ＡＰＤ」という）を使用し、高騒音の環境下にあっても作業員の被ばく線量超過を検出し、警報を発することができる装置に関するものである。
【０００２】
さらに詳しく言えば、ＡＰＤの発する警報ランプの光を検知し、これを振動に変え、この振動を作業員が胸や首部で体感できるようにして、作業員に対し被ばく線量超過をより確実に警報を発することができるようにした被ばく線量超過警報装置に関するものである。
【背景技術】
【０００３】
原子力発電所内の作業において、高騒音環境下では、ＡＰＤのアラーム警報に気付かず、実際は危険な状態であるにもかかわらず作業を継続してしまう恐れがあった。
また作業員の安全性のみでなく、作業服のポケットに入れておくだけでは作業員の発汗によりＡＰＤが故障してしまう恐れがあった。
さらにノイズ作業環境下では、計測器がノイズの影響を受けて誤作動する恐れもあり危険であった。
【０００４】
原子力発電所内の作業において、ＡＰＤを使用し、線量超過に対処していることは公知である。そして作業者が個々に携帯し、同時に複数の作業者が作業しているような状態でも、自分の線量計が鳴っていることが判るようにするため、ＡＰＤの内部に振動機構を設け、ＡＰＤのスピーカーからのアラームが鳴ると同時に線量計を振動させるようにしたもの、あるいは線量計と振動部を別々にして、線量計のアラーム音を検知して外部の振動計を振動させるようにしたものがしられている（特許文献１参照。）。
【０００５】
また線量計とこの線量計とは別に線量計の報知手段を有し、この報知手段として音声メッセージの出力、発光素子アレイの駆動、振動の発生及びブザー音の出力等がある。そして線量計は作業員のボディに装着され、前記報知手段は作業員の頭部付近（ヘルメットなど）に設ける技術がしられている（特許文献２参照。）。
【０００６】
さらに上記特許文献２のシステムを発展させた装置として、頭部ユニットに撮影素子と位置検出器が設けられ、これらによる測定結果等を管理装置に伝送するようにしたものもしられている（特許文献３参照。）。
【特許文献１】特開平１１−８４００８号公報
【特許文献２】公開公報２００１−１４１８２６号公報
【特許文献３】公開公報２００４−１７３７２号公報
【発明の開示】
【発明が解決しようとする課題】
【０００７】
原子力発電所内の作業に用いている公知ＡＰＤをそのまま使用し、これに接続可能な振動ユニットを用意し、ＡＰＤは胸に、そして振動ユニットは作業者の首に吊って使用することができるようにし、ＡＰＤの発する光とこの光によって制御回路を介し作動する振動装置による振動の両方で作業者に危険を知らせる安全装置を提供することを課題とする。
【０００８】
そして一般に市販のＡＰＤをそのまま使用し、高騒音の環境下においてもその騒音に影響されずに作業員の超過被ばくに警報を与えること、又使用するＡＰＤがノイズによる誤作動を防止できる構成の警報装置を提供すること、そして作業員の発汗等からもＡＰＤを保護できる精度と安全性の高いＡＰＤを使用した線量超過警報装置を提供することを課題とする。
【課題を解決するための手段】
【０００９】
この課題を解決する手段は、ＡＰＤと、ＡＰＤを収納する収納ケースと、収納ケースに対し電気的に接続可能な分離振動ユニットとからなり、ＡＰＤの警報ランプの光を検知し、収納ケースに設けた制御回路を介して電気信号に変え、収納ケース内及び前記分離振動ユニット内に設けた振動装置を作動させ、作業者の胸部と首部に振動を与え警報を発するようにした。
そして、前記収納ケースは、前記ＡＰＤから発する光を検知する光検知センサーを備え、光検知センサーからの信号を制御回路を介し電気信号に変換し、胸部及び首部用の振動モータを作動させるようにした。
また、前記収納ケースは、その本体内にＡＰＤを後方から装着し、その装着状態の検知用リミットスイッチを設け装着が確実であることを確認できるようにした。
また、収納ケースの外側をアルミ板で、又内側を合成樹脂で構成し装置の耐ショック性と電磁波に対するシールド性を向上させた。。
さらに、収納ケースはその底部に胸部を振動させる円盤形振動モータを備えている。
また、前記分離振動ユニットを環状のケーブルと、ケーブルに取付けた円筒形振動モータと、電気接続用のプラグと前記収納ケースに設けた取付部への取付金具とで構成した。
【発明の効果】
【００１０】
ＡＰＤの警報ランプの光を検知し、この信号を電気信号に変換して、胸と首の部分で振動モータを作動させ、作業者の身体に直接振動を付与して警告するので、高騒音環境における作業でも十分な警報が可能で、作業員の被ばくを最大限防止できる。
【００１１】
特にＡＰＤに接続した分離型振動ユニットを首に掛けるので、これにより首の後部に振動を与えることができ、胸部と、胸部よりさらに確実に振動を感知することができる首部とで、確実な警報を受けることができる。
【００１２】
収納ケースを外側をアルミ板、内側を合成樹脂で構成したので外部からの電磁波ノイズを低減し、精度の高い計測が可能となった。又内側の合成樹脂層の存在で、ＡＰＤのショック等からの保護が完ぺきとなった。
【００１３】
ＡＰＤと収納ケースはリミットスイッチでその密着性が確認できるので、ＡＰＤの精度を確実に保護できる。
【発明を実施するための最良の形態】
【００１４】
図に基いて説明する。図１は原子力発電所の作業員が本発明に係るＡＰＤを使用した線量超過警報装置を装着した状態を示す。
【００１５】
本発明に係るＡＰＤを使用した線量超過警報装置は、作業者の胸ポケット１０内に挿入されるＡＰＤ３０の収納ケース２０とこれに収納されるＡＰＤ（Ａｌａｒｍ  Ｐｏｃｋｅｔ  Ｄｏｓｅｍｅｔｅｒ）と、プラグで収納ケース２０のジャックに挿入して電気的に接続可能な分離振動ユニット４０とで構成される。
【００１６】
ＡＰＤ３０は収納ケース２０内に後方から嵌め込んでセットされる（図４）。収納ケース２０は図６に示すごとく、外側がアルミ板２１、内側はＭＣナイロン（モノマーキャストナイロン）またはポリプロピレン２２で構成されＡＰＤ３０の嵌込部は溝形をなし、この溝に後方からスライドさせて嵌め込むようになっている（図４の矢印ａ）。
【００１７】
外側のアルミ板２１は、ＰＨＳ等による電磁波などの障害を防止し、ＡＰＤ３０の誤動作を防ぐシールド材となっている。
【００１８】
収納ケース２０にＡＰＤ３０を嵌め込んだのち、分離振動ユニット４０を構成する首掛け用の環状ケーブル４１に取付けたプラグ４３を差し込むジャック２３を備えている。２４は収納ケース２０の底部に組み込んだ充電式電池、２５はＡＰＤ３０の装着検知用のリミットスイッチである。２６はＡＰＤ３０の発する光を検知する光検知センサーである。２７は収納ケース２０内に設けた制御回路、２８は収納ケース２０の側部に設けた凹部で、ＡＰＤ３０本体の背面（図３の下側）に設けたスイッチ（図示しない）の操作時に指を挿入する凹部である。
【００１９】
さらに、図２で２９はＡＰＤ本体のスピーカ３１（図３）に対応する穴である。２９−ａは収納ケース２０の底部に設けた円盤形振動モータで、前記制御回路２７でＡＰＤから発した光信号から変換された電気信号で作動する。
【００２０】
図３を参照してＡＰＤ３０について説明する。
ＡＰＤは図１のように作業員の胸ポケット１０に常時入れて作業するので、たとえばその大きさは１０３mm×５６mm×１６mmで、収納ケース２０内に装着しても十分に胸ポケット１０内に納る大きさである。
【００２１】
図３で、ＡＰＤ３０の端面にスピーカ３１が設けられ、ここから警報音が発せられる。このスピーカ３１に対応して、収納ケース２０側に穴２９（図２）が開いていている。３２は取付金具で、この金具３２にケーブル４１に設けた取付金具４２を引掛けて使用する。
【００２２】
図４はＡＰＤ３０を収納ケース２０に装着した状態を示す。ＡＰＤ３０を収納ケース２０の後方からスライドさせて装着し、リミットスイッチ２５で装着が確実かどうかを確認する。しかるのちＡＰＤ側の金具３２にケーブル４１（図５）側の取付金具４２を引掛け、図１の如く首に掛けて使用する。
【００２３】
図５は分離振動ユニット４０の斜視図で、環状のケーブル４１は柔軟で首に掛け易くなっている。これを首に引掛けて使用するが、使用時に作業員の首の丁度後部に当る部分に設けた円筒型振動モータ４４が当り、これによって作業員は首の後部で振動を感知することができる。
【００２４】
図７は前記収納ケース２０の底部に設けた円盤型振動モータ２９−ａで、その直径Ｄは約１８mm  程度、厚さｔは約３mm程度のもので、一般に市販されているものを使用する。
【００２５】
図８は前記ケーブル４１に取付けた円筒型振動モータ４４で、長さ約Ｄ≒１２mm程度、ｄ≒６mm程度の大きさを有している。これ又市販のものを使用する。
（使用法）
【００２６】
原子力発電所で作業する場合、作業員は専用の作業衣に着替える。この作業衣には必ずポケット１０があるので、ここに収納ケース２０に装着したＡＰＤ３０を装着する。
【００２７】
次に分離振動ユニット４０のケーブル４１についているプラグ４３を収納ケース２０側のジャック２３に差し込む。そして収納ケース２０の凹部２８の部分にあるスイッチを操作すれば装置は作動する。
【００２８】
ＡＰＤ３０が線量の超過を検出すると、光検知センサー２６を介し、さらに制御回路２７を介し環状ケーブル４１につけた円筒型振動モータ４４及び収納ケース底部の円盤型振動モータ２９−ａを作動させて振動する。
作業者は自身の首や胸の部分で振動を感じ、いち早く線量超過を知ることができる。
【図面の簡単な説明】
【００２９】
【図１】線量超過検出装置を装着した作業員を示す。
【図２】（ａ）は収納ケースの斜視図、（ｂ）は（ａ）を逆の方向から見た図。
【図３】ＡＰＤの斜視図。
【図４】ＡＰＤを収納ケースに装着した状態の斜視図。
【図５】分離振動ユニットのの斜視図。
【図６】収納ケースの拡大詳細図。
【図７】円盤型振動モータの拡大詳細図。
【図８】円筒型振動モータの詳細図。
【符号の説明】
【００３０】
10  胸ポケット                    20  計測器収納ケース（ケース）
21  アルミ板                      22  ＭＣナイロン
23  ジャック                      24  充電式電池
25  リミットスイッチ              26  光検知センサー
27  制御回路                      28  凹部
29  穴                            29-a  円盤型振動モータ
30  ポケット型外部被ばく計測器（ＡＰＤ）
31  スピーカ                      32  金具
40  分離振動ユニット              41  環状ケーブル
42  金具                          43  プラグ
44  円筒型振動モータ
【図１】
2006170634.tif 000003
【図２】
2006170634.tif 000004
【図３】
2006170634.tif 000005
【図４】
2006170634.tif 000006
【図５】
2006170634.tif 000007
【図６】
2006170634.tif 000008
【図７】
2006170634.tif 000009
【図８】
2006170634.tif 000010